(57)【特許請求の範囲】
【請求項１】
ワンタッチキーに対応して、通信宛先が登録されており、ワンタッチキーが操作されると、対応する通信宛先が送出される通信端末装置において、
各ワンタッチキーに対応して、それぞれ３つ以上の通信宛先を登録可能としておき、同じワンタッチキーの操作回数又は所定時間以上の操作毎にワンタッチ頁を更新し、続く他のワンタッチキーの操作で、現頁の通信宛先の中から当該他のワンタッチキーに対応する通信宛先を選択することを特徴とする通信端末装置。
【発明の詳細な説明】
【０００１】
【発明の属する技術分野】
この発明は、ワンタッチキーを有するファクシミリ装置などの通信端末装置に関する。
【０００２】
【従来の技術】
近年、ファクシミリ装置などの通信端末装置においては、ワンタッチキーと称するキーを複数個備えるとともに、この各ワンタッチキーに対応して、宛先の番号を登録しておき、通信時に宛先に対応するワンタッチキーを操作するだけで、宛先番号を送出する、いわゆるワンタッチ機能を備えている。
【０００３】
【発明が解決しようとする課題】
上記したワンタッチ機能を活用する場合で、宛先を多くしたい場合は、多くのワンタッチキーを必要とする。しかし、キーを配置するキー操作部、パネル部の面積には限界があり、平面内で設置できるキーの数はユーザの要望に十分に応え得るものではない。そこで、頁パネルを複数枚設け、頁パネルをめくり、ワンタッチキーを操作することにより、ワンタッチ操作のできる宛先を増やしている装置もある。しかし、この方法は当然のことながら、複数枚頁パネル及びその機構が必要であり、操作部がかさばるし、コスト高ともなる欠点がある。
【０００４】
この発明は上記問題点に着目してなされたものであって、ワンタッチキーの数を増加することなく、頁パネルも必要なく、ワンタッチ機能で選択し得る宛先を多くし得る通信端末装置を提供することを目的としている。
【０００５】
【課題を解決するための手段】
この発明の通信端末装置は、ワンタッチキーに対応して、通信宛先が登録されており、ワンタッチキーが操作されると、対応する通信宛先が送出されるものにおいて、ワンタッチキーに対応して、それぞれ３つ以上の通信宛先を登録可能としておき、同じワンタッチキーの操作回数又は所定時間以上の操作毎にワンタッチ頁を更新し、続く他のワンタッチキーの操作で、現頁の通信宛先の中から当該他のワンタッチキーに対応する通信宛先を選択する。
【０００６】
【発明の実施の形態】
以下、実施の形態により、この発明をさらに詳細に説明する。図１は、この発明の一実施形態ファクシミリ装置の構成を示すブロック図である。
【０００７】
この実施形態ファクシミリ装置は、図１に示すように、ＮＣＵ１と、ＭＯＤＥＭ２と、ＲＯＭ３と、ＲＡＭ４と、画像メモリ５と、ＭＰＵ６と、表示部７と、操作部８と、画像読取部９と、ＣＯＤＥＣ１０と、プリンタ１１と、バス１２とを備えている。ＮＣＵ１は、電話回線１３との接続を制御するとともに、相手先の電話番号（＝対応したダイヤル信号）の送出機能、及び着信を検出するための機能を備えている。モデム２は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。ＲＯＭ３は装置全体を制御するためのプログラムを記憶する。ＲＡＭ４は、ファクシミリ装置に関する各種情報を一時的に記憶する。画像メモリ５は受信画像データや画像読み取り部９で読み取られた画像データを一時的に記憶する。ＭＰＵ６は、ＲＯＭ３に記憶されたプログラムに従い、装置を構成する各部を制御する。表示部７は装置の動作状態等の各種情報、転送時間帯表示等の表示を行う。操作部８はテンキー、ワンタッチキー、スタートキー、その他のキーで構成される。画像読取部９は原稿上の画像データを読み取って、白黒２値のイメージデータを出力する。ＣＯＤＥＣ１０は、送信すべき画データを符号化し、また受信した画データを復号する。プリンタ１１は、電子写真式のプリンタよりなり、受信画像データやコピー動作において、画像読取部９で読み取られた原稿の画像データを記録紙上に記録する。もっとも、ここに示す実施形態ファクシミリ装置のハード構成は、特に新規なものではなく、各回路構成自体は、既によく知られたものである。この実施形態ファクシミリ装置の新規な特徴事項は、後述するように、ワンタッチキーの操作による宛先の選択方法にある。
【０００８】
次に、この実施形態ファクシミリ装置において、ワンタッチキーが操作された場合の処理動作を、図２に示すフロー図に沿って説明する。先ず、ステップＳＴ１において、ワンタッチキーの１つが操作される。続いて、ステップＳＴ２へ移行する。ステップＳＴ２においては、その操作されたワンタッチキーＫｉ（ｉ＝１、……、２０）を記憶する。そして、ステップＳＴ３へ移行する。ステップＳＴ３において、Ｐａｇｅ＝１とする。このページ（Ｐａｇｅ）＝１は、今回のワンタッチキーＫ１が１回操作されたことを意味するものである。次に、ステップＳＴ４へ移行する。
【０００９】
ステップＳＴ４においては、Ｐａｇｅ＝１のｉ番（Ｋ１）の登録内容を表示する。図３に示す登録例ではＰａｇｅ＝１のＫ１には、０７５、８３１、９９１９が登録されているので、これを表示する。続いて、ステップＳＴ５へ移行する。ステップＳＴ５においては、キー入力待ちをし、次のキーが操作されると、ステップＳＴ６へ移行する。ステップＳＴ６においては、押されたのはワンタッチキーであるか否か判定する。ワンタッチキーでなければ、ステップＳＴ７へ移行する。一方、ワンタッチキーが押された場合には、ステップＳＴ８へ移行する。ステップＳＴ７においては、押されたキーＫ１に対応するワンタッチ選択を確定（例では０７５、８３１、９９１９）する。そして、次処理へ移行する。なお、ステップＳＴ６において、スタートキーが押された場合に、その前のワンタッチキーによる選択を確定しても良い。更にまた、ステップＳＴ６の判定は、他のキーが押されたか否かの判断ではなく、前に押されたワンタッチキーからのタイムオーバーを検出したときに、ワンタッチを確定しても良い。
【００１０】
ステップＳＴ８においては、同じワンタッチキーが連続して押されたか否かを判定する。今回押されたワンタッチキーが前回と同じキーでない場合は、ステップＳＴ２へ戻る。一方、同じワンタッチキー（例：Ｋ１）が連続して押されたものである場合には、ステップＳＴ９へ移行する。
【００１１】
ステップＳＴ９においては、Ｐａｇｅを＋１して更新する（Ｐａｇｅ＝２）。そして、ステップＳＴ１０へ移行する。ステップＳＴ１０においては、Ｐａｇｅ＞ｎか否か判定する。ここでｎは、登録できるページ数であり、図３の例ではｎ＝１０である。Ｐａｇｅ＞ｎの場合は、つまり上記例でｎ＝１１となった場合は、ステップＳＴ１１へ移行する。そして、ステップＳＴ１１においては、ｎ＝１と初期値にリセットし、ステップＳＴ４へ戻る。ステップＳＴ１１において、Ｐａｇｅ＞ｎでない場合は、ステップＳＴ１１をスキップして、ステップＳＴ４へ戻る。
【００１２】
ステップＳＴ８〜ＳＴ１０経過後のステップＳＴ４においては、Ｐａｇｅ＝２のｉ番のキーに対応する登録内容を意味する。図３の例で、Ｐａｇｅ＝２でＫ１の対応する登録内容を０７５、８３１、９９２０を表示する。
【００１３】
以後、連続してワンタッチキーＫ１が押されると、押される毎にＰａｇｅが１ずつ歩進し、表示選択される登録内容も変化してゆく。ワンタッチキーＫ１が１０回連続して操作されたとすると、図３の例で選択表示される登録内容は０７５、８３１、９９３９となる。
【００１４】
同じワンタッチキーが何回か連続して操作され、ワンタッチキー以外のキーが操作される以前に、他のワンタッチキーが操作されると、それまでのワンタッチキーによるワンタッチ選択は確定せず、処理はステップＳＴ６、ＳＴ８を経て、ステップＳＴ２に戻る。そして、今回押されたワンタッチキー（例えばＫ２）を記憶する。次に、ステップＳＴ３へ移行し、Ｐａｇｅ＝１とする。つまり、ページの指定を初期状態とする。そして、ステップＳＴ４へ移行し、Ｐａｇｅ１のキーＫ２に対応する登録内容０７５、９０３、１１１２が表示される。
【００１５】
なお、上記実施形態においては、同じワンタッチキーを連続して操作する毎に、順次、次ページの登録内容を表示し、選択し得るようにしているが、他の実施形態としてどんなワンタッチキーでも良く、いずれかのワンタッチキーを長押しすると、ページが順次変わるようにし、所定のワンタッチキーを短押しすると、そのページのそのワンタッチキーに対応する登録内容を表示選択するようにしても良い。具体的には、例えば図３の登録例で、初期状態で、例えばワンタッチキーＫ１が押されると、ページ１の０７５、８３１、９９１９が表示され、そのワンタッチキーＫ１が長押しされると、次のページ２に移り、表示は０７５、８３１、９９２０となる。ここで更に、このワンタッチキーＫ１を長く押していると、次のページ３へ移行する。しかし、ページ２でワンタッチキーＫ２を短押しすると、０７５、９０３、１１１３が表示され、これがワンタッチ選択確定となる。
【００１６】
また、上記実施形態では、同じワンタッチキーが操作される毎にページが更新される態様で説明したが、この発明ではこれに限ることなく、図４に示すように、各ワンタッチキー毎に複数個の宛先を記憶する領域を備え、各ワンタッチキーが操作される毎に、その記憶領域から、順次宛先を読み出すようにしても良い。
【００１７】
更にまた、ワンタッチキーの操作により、複数ページの１つを順次指定し、更に各ページにおいて、各ワンタッチキー毎に複数の宛先を選択できるようにしても良い。
【００１８】
【発明の効果】
この発明によれば、ワンタッチキーに対応して、それぞれ３つ以上の通信宛先を登録可能としておき、同じワンタッチキーの操作回数又は所定時間以上の操作毎にワンタッチ頁を更新し、続く他のワンタッチキーの操作で、現頁の通信宛先の中から当該他のワンタッチキーに対応する通信宛先を選択するようにしているので、ワンタッチ頁シートが不要であり、かさばることなく、コストアップを生じることなく、多くのワンタッチによる宛先選択が可能である。
【図面の簡単な説明】
【図１】  この発明の一実施形態であるファクシミリ装置の概略構成を示すブロック図である。
【図２】  同ファクシミリ装置におけるワンタッチキーによる宛先選択処理を説明するフロー図である。
【図３】  ワンタッチキーとページ及び登録内容の記憶例を示す図である。
【図４】  ワンタッチキーと宛先登録内容の他の記憶例を示す図である。
【符号の説明】
１      ＮＣＵ
２      ＭＯＤＥＭ
３      ＲＯＭ
４      ＲＡＭ
５      画像メモリ
６      ＭＰＵ
７      表示部
８      操作部
９      画像読取部
１０    ＣＯＤＥＣ
１１    プリンタ
１２    バス
１３    電話回線
【図１】
0003750613.tif 000002
【図２】
0003750613.tif 000003
【図３】
0003750613.tif 000004
【図４】
0003750613.tif 000005